(57)【要約】  ＰＬＣから機器状態データ（３０）を収集する収集端末と、機器状態データ（３０）を記憶するサーバと、を備え、収集端末は、当該収集端末が収集対象とするＰＬＣで監視している機器の状態を特定するビット列である機器状態ビット列（３１）を記憶する端末記憶部と、機器状態ビット列（３１）が変化したときに機器状態データ（３０）をサーバに送信する送信部と、を有し、サーバは、収集端末から機器状態データ（３０）を受信する受信部と、受信した機器状態データ（３０）を記憶するサーバ記憶部と、を有し、機器状態データ（３０）は、当該機器状態データ（３０）が送信される時点の直前の所定の期間内における機器状態ビット列（３１）の変化を特定する変化データ（３４、３５）を含む。
2020137593.tif 000002
【特許請求の範囲】
【請求項１】
機器の監視および入出力制御を実行可能なＰＬＣから機器の状態に係る機器状態データを収集する収集端末と、前記機器状態データを記憶するサーバと、を備え、
前記収集端末は、当該収集端末が収集対象とする前記ＰＬＣで監視している機器の状態を特定するビット列である機器状態ビット列を記憶する端末記憶部と、前記機器状態ビット列が変化したときに前記機器状態データを前記サーバに送信する送信部と、を有し、
前記サーバは、前記収集端末から前記機器状態データを受信する受信部と、受信した前記機器状態データを記憶するサーバ記憶部と、を有し、
前記機器状態データは、当該機器状態データが送信される時点の直前の所定の期間内における前記機器状態ビット列の変化を特定する変化データを含む機器監視装置。
【請求項２】
前記機器状態ビット列を構成する複数のビットは、オン状態またはオフ状態を取り、
前記機器状態データは、前記変化データとして、前記複数のビットのうち前記所定の期間内に前記オフ状態から前記オン状態に変化したビットを特定するオン変化データ、および、前記複数のビットのうち前記所定の期間内に前記オン状態から前記オフ状態に変化したビットを特定するオフ変化データ、の少なくとも一方を含む請求項１に記載の機器監視装置。
【請求項３】
前記機器状態データは、前記変化データとして、前記オン変化データおよび前記オフ変化データを含む請求項２に記載の機器監視装置。
【請求項４】
前記機器状態データは、さらに、当該機器状態データが送信される時点における最新の前記機器状態ビット列を含む請求項１〜３のいずれか１項に記載の機器監視装置。
【請求項５】
前記機器状態データは、前記機器状態ビット列が変化した時刻を特定する変化時刻データをさらに含む請求項１〜４のいずれか１項に記載の機器監視装置。
【請求項６】
前記送信部は、前記機器状態データに含まれる各データを、ワード単位にまとめて前記サーバに送信する請求項１〜５のいずれか１項に記載の機器監視装置。
【請求項７】
前記収集端末は、前記機器状態ビット列が変化したか否かの判定を所定の時間間隔ごとに行い、
前記送信部は、前記判定において前記機器状態ビット列が変化したと判定したときに所定の送信間隔にまとめて前記機器状態データを前記サーバに送信する請求項１〜６のいずれか１項に記載の機器監視装置。
【請求項８】
前記サーバは、前記サーバ記憶部に記憶した前記機器状態データに基づいて、前記機器状態データの履歴を特定可能に構成される請求項１〜７のいずれか１項に記載の機器監視装置。
【請求項９】
機器の監視および入出力制御を実行可能なＰＬＣから機器状態データを収集端末によって収集し、前記機器状態データをサーバに記憶する機器監視方法であって、
監視対象とする前記機器の状態データを前記ＰＬＣから取得する信号に基づいて、当該機器の前記機器の状態を特定するビット列を、機器状態ビット列として前記収集端末に記憶させる端末記憶工程と、
前記機器状態ビット列が変化したときに前記機器状態データを、前記収集端末に送信させ前記サーバに受信させる通信工程と、
前記サーバに受信させた前記機器状態データを前記サーバに記憶させるサーバ記憶工程と、を有し、
前記機器状態データは、当該機器状態データが送信される時点の直前の所定の期間内における前記機器状態ビット列の変化を特定する変化データを含む機器監視方法。
【請求項１０】
機器の監視および入出力制御を実行可能なＰＬＣから機器状態データを収集端末によって収集し、前記機器状態データをサーバに記憶する機能をコンピュータに実行させる機器監視プログラムであって、
監視対象とする前記機器の状態データを前記ＰＬＣから取得する信号に基づいて、当該機器の前記機器の状態を特定するビット列を、機器状態ビット列として前記収集端末に記憶させる端末記憶機能と、
前記機器状態ビット列が変化したときに前記機器の機器状態データを、前記収集端末に送信させ前記サーバに受信させる通信機能と、
前記サーバに受信させた前記機器状態データを前記サーバに記憶させるサーバ記憶機能と、をコンピュータに実行させ、
前記機器状態データは、当該機器状態データが送信される時点の直前の所定の期間内における前記機器状態ビット列の変化を特定する変化データを含む機器監視プログラム。
【発明の詳細な説明】
【技術分野】
【０００１】
本発明は、下水処理施設や水道施設などのプラント施設に設置された複数の機器の機器状態を監視するための機器監視装置、機器監視方法、および機器監視プログラムに関する。
【背景技術】
【０００２】
複数の機器の機器状態を監視する目的で、プログラマブルロジックコントローラ（ＰＬＣ）と、当該ＰＬＣから機器の状態に係る機器状態データを収集する収集端末とを組合せて用いるシステムが汎用されている。収集端末が収集した機器状態データは、収集端末からサーバ装置等に送信され、施設の全体または所定の区域に設置された機器の監視や入出力制御を行うために活用される。【０００３】
このようなシステムでは一般的に、施設内に機器が分散配置されていることに対応して、ＰＬＣおよび収集端末も分散配置されている。ここで、分散配置された収集端末のそれぞれをサーバ装置等と通信可能にする必要があるが、かかる通信の手段を有線配線とすると配線が煩雑になるため、無線通信可能に構成するのが好ましい。ただし、無線通信に係る信頼性の向上および通信コストの低減のため、送受信されるデータ量の低減が求められる。【０００４】
かかるデータ量の低減について、たとえば、日本国特開平６−９５７１８号（特許文献１）には、検出されたデータと、前回送受信されたデータとの間に変化が生じているか否かを判断し、変化が生じている場合にのみ最新のデータが送受信されるリモートＩ／Ｏシステムが開示されている。この技術では、データに変化が生じていないときに送受信されるデータ量を小さくできるため、当該システムの運用に係る通信量を低減できる。【０００５】
また、たとえば日本国特開２００３−２８０７３２号公報（特許文献２）には、監視対象の複数のデバイスのうち、状態が変化したデバイスの状態のみを送信するように構成されたデータ伝送装置が開示されている。この技術では、変化が生じていないデバイスの状態は送信されないので、送信されるデータ量を小さくできる。
【先行技術文献】
【特許文献】
【０００６】
【特許文献１】日本国特開平６−９５７１８号
【特許文献２】日本国特開２００３−２８０７３２号公報
【発明の概要】
【発明が解決しようとする課題】
【０００７】
しかし、特許文献１および特許文献２の技術では、データを受信したサーバ装置側において、前回データと最新データとを比較し、具体的な変化内容を特定する必要があった。そのため、複数の収集端末から同時に送信があったときに、サーバ装置の演算負荷が大きくなり、円滑なデータ処理ができないおそれがあった。なお、装置の故障、ユーティリティの状態変化、処理対象物の状態変化、などを原因として、複数の機器において機器状態の変化が連鎖的に生じる場合が少なくないため、上述のように複数の収集端末から同時に送信があることは少なくない。【０００８】
そこで、サーバ装置側の演算負荷を低減しながら、機器状態の具体的な変化内容を特定できる機器監視装置の実現が求められる。
【課題を解決するための手段】
【０００９】
本発明に係る機器監視装置は、機器の監視および入出力制御を実行可能なＰＬＣから機器の状態に係る機器状態データを収集する収集端末と、前記機器状態データを記憶するサーバと、を備え、前記収集端末は、当該収集端末が収集対象とする前記ＰＬＣで監視している機器の状態を特定するビット列である機器状態ビット列を記憶する端末記憶部と、前記機器状態ビット列が変化したときに前記機器状態データを前記サーバに送信する送信部と、を有し、前記サーバは、前記収集端末から前記機器状態データを受信する受信部と、受信した前記機器状態データを記憶するサーバ記憶部と、を有し、前記機器状態データは、当該機器状態データが送信される時点の直前の所定の期間内における前記機器状態ビット列の変化を特定する変化データを含むことを特徴とする。【００１０】
また、本発明に係る機器監視方法は、機器の監視および入出力制御を実行可能なＰＬＣから機器状態データを収集端末によって収集し、前記機器状態データをサーバに記憶する機器監視方法であって、監視対象とする前記機器の状態データを前記ＰＬＣから取得する信号に基づいて、当該機器の前記機器状態を特定するビット列を、機器状態ビット列として前記収集端末に記憶させる端末記憶工程と、前記機器状態ビット列が変化したときに前記機器状態データを、前記収集端末に送信させ前記サーバに受信させる通信工程と、前記サーバに受信させた前記機器状態データを前記サーバに記憶させるサーバ記憶工程と、を有し、前記機器状態データは、当該機器状態データが送信される時点の直前の所定の期間内における前記機器状態ビット列の変化を特定する変化データを含むことを特徴とする。【００１１】
また、本発明に係る機器監視プログラムは、機器の監視および入出力制御を実行可能なＰＬＣから機器状態データを収集端末によって収集し、前記機器状態データをサーバに記憶する機能をコンピュータに実行させる機器監視プログラムであって、監視対象とする前記機器の状態データを前記ＰＬＣから取得する信号に基づいて、当該機器の前記機器状態を特定するビット列を、機器状態ビット列として前記収集端末に記憶させる端末記憶機能と、前記機器状態ビット列が変化したときに前記機器の機器状態データを、前記収集端末に送信させ前記サーバに受信させる通信機能と、前記サーバに受信させた前記機器状態データを前記サーバに記憶させるサーバ記憶機能と、をコンピュータに実行させ、前記機器状態データは、当該機器状態データが送信される時点の直前の所定の期間内における前記機器状態ビット列の変化を特定する変化データを含むことを特徴とする。【００１２】
これらの構成によれば、前回の機器状態データと最新の機器状態データとの比較演算処理を収集装置側で担当するので、サーバ装置側の演算負荷を低減しながら、機器状態の具体的な変化内容を特定できる。【００１３】
以下、本発明の好適な態様について説明する。ただし、以下に記載する好適な態様例によって、本発明の範囲が限定されるわけではない。【００１４】
本発明に係る機器監視装置は、一態様として、前記機器状態ビット列を構成する複数のビットは、オン状態またはオフ状態を取り、前記機器状態データは、前記変化データとして、前記複数のビットのうち前記所定の期間内に前記オフ状態から前記オン状態に変化したビットを特定するオン変化データ、および、前記複数のビットのうち前記所定の期間内に前記オン状態から前記オフ状態に変化したビットを特定するオフ変化データ、の少なくとも一方を含むことが好ましい。【００１５】
この構成によれば、機器状態ビット列の変化をビット単位で特定できるので、サーバ装置側の負荷をより低減しやすい。【００１６】
本発明に係る機器監視装置は、一態様として、前記機器状態データは、前記変化データとして、前記オン変化データおよび前記オフ変化データを含むことが好ましい。【００１７】
この構成によれば、機器状態ビット列のオン変化およびオフ変化をビット単位で特定しやすいので、サーバ装置側の負荷を一層低減しやすい。【００１８】
本発明に係る機器監視装置は、一態様として、前記機器状態データは、さらに、当該機器状態データが送信される時点における最新の前記機器状態ビット列を含むことが好ましい。【００１９】
この構成によれば、過去の通信不具合等を原因として、サーバ記憶部に記憶された機器状態データのうちで最新のものと、送信された最新の機器状態データとが一致しない場合であっても、サーバ装置側で最新のデータとその直前のデータとを復元できるので、機器状態ビット列の履歴を把握しやすい。【００２０】
本発明に係る機器監視装置は、一態様として、前記機器状態データは、前記機器状態ビット列が変化した時刻を特定する変化時刻データをさらに含むことが好ましい。【００２１】
この構成によれば、機器状態ビット列の履歴を一層把握しやすい。【００２２】
本発明に係る機器監視装置は、一態様として、前記送信部は、前記機器状態データとして機器状態ビット列データをワード単位にまとめて前記サーバに送信することが好ましい。【００２３】
この構成によれば、複数の機器状態ビットが同時に変化した場合であっても、送信される機器状態データのサイズを低減しやすい。【００２４】
本発明に係る機器監視装置は、一態様として、前記収集端末は、前記機器状態ビット列が変化したか否かの判定を所定の時間間隔ごとに行い、前記送信部は、前記判定において前記機器状態ビット列が変化したと判定したときに所定の送信間隔にまとめて前記機器状態データを前記サーバに送信することが好ましい。【００２５】
この構成によれば、送信回数を低減しやすく、その結果として、送信される機器状態データのサイズの総量を低減しやすい。【００２６】
本発明に係る機器監視装置は、一態様として、前記サーバは、前記サーバ記憶部に記憶した前記機器状態データに基づいて、前記機器状態の履歴を特定可能に構成されることが好ましい。【００２７】
この構成によれば、機器状態ビット列の履歴を一層把握しやすい。【００２８】
本発明のさらなる特徴と利点は、図面を参照して記述する以下の例示的かつ非限定的な実施形態の説明によってより明確になるであろう。
【図面の簡単な説明】
【００２９】
【図１】本発明に係る機器監視装置および監視対象とするプラント施設の構成図
【図２】本発明の実施形態に係る機器状態ビット列の例
【図３】本発明の実施形態に係る機器状態ビット列の変化の例
【図４】本発明の実施形態に係る機器状態データの例
【図５】本発明の実施形態に係るサーバ側ビット列の例
【発明を実施するための形態】
【００３０】
本発明に係る機器監視装置、機器監視方法および機器監視プログラムの実施形態について、図面を参照して説明する。以下では、本発明に係る機器監視装置を、プラント施設Ｐに設置された複数の機器Ｅの機器状態を監視するための機器監視装置１に適用し、機器監視装置１を用いた機器監視方法に適用した例について説明する。図１に示すように、本実施形態に係る機器監視装置１は、複数の機器Ｅに接続されたＰＬＣ１５（プログラマブルロジックコントローラ）から情報を収集する収集端末１０と、サーバ２０とを備える。収集端末１０およびサーバ２０には、本発明に係る機器監視プログラムがインストールされている。なお、当実施形態において監視対象とする機器Ｅとしては、ポンプ、ブロア、撹拌機、脱水機などが例示される。
【００３１】
〔収集端末１０の構成〕
収集端末１０は、入力部１１と、データレジスタ１２（端末記憶部の例）と、収集端末制御部１３と、送信部１４と、を有する。収集端末１０は、収集対象のＰＬＣ１５から情報を収集し、当該ＰＬＣ１５に接続された機器Ｅを監視対象とする。また、１台のサーバ２０と、複数台の収集端末１０とが通信できるように構成されている。以下の説明では、ある１台の収集端末１０が収集対象とするＰＬＣ１５に接続された複数の機器Ｅの集合体を機器群Ｅｓという。
【００３２】
入力部１１は、ＰＬＣ１５と接続されており、それぞれの機器Ｅに発生したイベントに関する信号の入力を受ける。ここでイベントとは、それぞれの機器Ｅにおいて、運転状態から停止状態に切り替わる、停止状態から運転状態に切り替わる、所定の物理量（電流値、回転数、トルク、温度、運転時間など）が所定の標準値範囲を脱する、故障の発生を検出する、などの現象が発生することをいう。
【００３３】
データレジスタ１２は、複数の機器Ｅの機器状態を特定する機器状態ビット列３１を記憶する。機器状態ビット列３１の各ビット３２は、それぞれの機器Ｅに関する種々のイベントに割り当てられている。図２に示した例では、データレジスタ１２のアドレス「Ｄ１０００．０」〜「Ｄ１０００．８」の各ビット３２には、機器Ｅ１について、運転／停止状態（アドレス「Ｄ１０００．０」）、故障Ａ〜Ｄの検出の有無（アドレス「Ｄ１０００．１」〜「Ｄ１０００．４」）、および状態Ａ〜Ｄの検出の有無（アドレス「Ｄ１０００．５」〜「Ｄ１０００．８」）が、それぞれ割り当てられている。たとえば、図２では、アドレス「Ｄ１０００．０」のビット３２ａは「０（オフ状態）」であり、機器Ｅ１が停止状態であることが記憶されている。同様に、たとえば、アドレス「Ｄ１０００．Ｄ」のビット３２ｃは「１（オン状態）」であり、機器Ｅ２について状態Ａが検出されていることが記憶されている。なお、ここで「状態」とは、たとえば、機器の自動／手動運転などの運転モードや、電流値が標準範囲内にあるなどの状態をいう。
【００３４】
データレジスタ１２に記憶されている機器状態ビット列３１は、ＰＬＣ１５から送信され入力部１１に入力する信号に基づいて変更される。たとえば、図２に示した例の状態において、機器Ｅ１の故障Ａが解消して機器Ｅ１が運転を開始したことを表す信号が入力されたときは、アドレス「Ｄ１０００．０」のビット３２ａが「１」に変わり、アドレス「Ｄ１０００．１」のビット３２ｂが「０」に変わる。すなわち、収集端末１０に接続された機器Ｅのイベントの発生を表す信号の入力に応答して、各ビット３２が当該信号に対応するオン状態またはオフ状態を取り、かかるビット３２の配列である機器状態ビット列３１として、複数の機器Ｅの機器状態が記憶される。
【００３５】
収集端末制御部１３は、機器状態ビット列３１を１秒ごと（所定の時間間隔の例）に監視し、ある時刻における機器状態ビット列３１と、その１秒前の機器状態ビット列３１とを比較する。図３に、機器状態ビット列３１ａが、その１秒後に機器状態ビット列３１ｂに変化した例を示した。具体的には、アドレス「Ｄ１０００」の、Ｃビット目３１ｄがオン状態からオフ状態に、７ビット目３１ｅがオフ状態からオン状態に、３ビット目がオン状態からオフ状態に、それぞれ変化したことが現されている。収集端末制御部１３は、ある時刻における機器状態ビット列３１（３１ｂ）が、その１秒前の機器状態ビット列３１（３１ａ）と一致しないときは、当該１秒の間（所定の期間内の例）に機器状態ビット列３１が変化したと判定する。
【００３６】
収集端末制御部１３は、機器状態ビット列３１が変化したと判定すると、サーバ２０に送信する機器状態データ３０を生成する。送信部１４は、当該機器状態データ３０をサーバ２０に送信する。
【００３７】
図４に示すように、機器状態データ３０は、機器状態ビット列３１が変化したと判定した時刻を表す変化時刻データ３３、変化後の機器状態ビット列３１（３１ｂ）、オフ状態からオン状態に変化（オン変化）したビットを特定するオン変化データ３４（変化データの例）、および、オン状態からオフ状態に変化（オフ変化）したビットを特定するオフ変化データ３５（変化データの例）、を含む。なお、機器状態ビット列３１、オン変化データ３４、およびオフ変化データ３５は、各データを表すビット列を１６進数で表したワード単位、すなわち、ワード長１６ビットのワード単位で表される。たとえば図４に示した例では、機器状態ビット列３１「０１１０００００１０１１０１１０」は１６進数「６０Ｂ６」で表される。同様に、オン変化データ３４は１６進数「００８０」で表され、オフ変化データ３５は１６進数「１００８」で表される。
【００３８】
〔サーバ２０の構成〕
サーバ２０は、受信部２１と、サーバ記憶部２２と、サーバ制御部２３とを有する。前述のように、１台のサーバ２０と、複数台の収集端末１０とが通信できるように構成されている。したがってサーバ２０は、複数台の収集端末１０のそれぞれが収集対象とするＰＬＣ１５に接続された複数の機器Ｅについて、機器状態データ３０を受信しこれを記憶する。
【００３９】
受信部２１は、収集端末１０の送信部１４から送信された機器状態データ３０を受信する。送信部１４と受信部２１との間の通信は、携帯電話回線網を経由して、インターネット、イントラネットなどのネットワークを通じて行われる。
【００４０】
サーバ記憶部２２は、受信部２１が受信した機器状態データ３０を記憶する。ここで、機器状態データ３０に含まれる機器状態ビット列３１、オン変化データ３４およびオフ変化データ３５は、ワード単位からビット単位に置換される。サーバ記憶部２２は、ビット単位に置換された機器状態データ３０に基づいて、サーバ側ビット列４１を記憶する。図５に示した例では、サーバ側ビット列４１の信号ＩＤ１〜１６が、機器状態ビット列３１のアドレス「Ｄ１０００．０」〜「Ｄ１０００．Ｅ」に対応している。すなわちサーバ側ビット列４１の構成は、機器状態ビット列３１と同様の構成になっている。このようにサーバ記憶部２２は、収集端末１０のデータレジスタ１２と同じように、複数の機器Ｅの、収集対象とするそれぞれのイベントに割り当てられたビット単位で、複数の機器Ｅの機器状態およびその変化を記憶する。
【００４１】
また、サーバ記憶部２２は、最新のサーバ側ビット列４１（４１ａ）のみではなく、過去のサーバ側ビット列４１（４１ｂ）も記憶する。このように、過去のサーバ側ビット列４１を記憶することで、複数の機器Ｅの機器状態の履歴を管理することができる。
【００４２】
サーバ制御部２３は、収集端末１０とサーバ２０との通信を制御するとともに、収集端末１０から受信した機器状態データ３０およびサーバ記憶部２２に記憶された機器状態データ３０に基づいて、複数の機器Ｅの機器状態の履歴情報を生成することができる。具体的には、最新のサーバ側ビット列４１と、前回記憶したサーバ側ビット列４１とを比較し、オン変化およびオフ変化したビットを特定することで、履歴情報が明らかになる。
【００４３】
しかし、当実施形態では、収集端末１０とサーバ２０との間の通信は携帯電話回線網を経由して行われるため、全ての機器状態データ３０の受信に成功していることは保証できない。また、サーバ２０が複数の収集端末１０から送信された複数の機器状態データ３０を同時または短期間に受信したときは、上記の比較処理が一度に複数発生し、かかる処理に遅れが生じたり、過負荷によりサーバ２０の運転に不具合が生じたりする場合がある。
【００４４】
そこで、サーバ制御部２３は、収集端末１０から受信した機器状態データ３０に含まれるオン変化データ３４およびオフ変化データ３５に基づいて、変化したビットを特定することも可能に構成されている。この構成により、未受信のデータが存在する場合であっても、オン変化データ３４およびオフ変化データ３５に基づいて最新の機器状態データ３０が生成された時刻の直前の機器状態に対応する変化前データ４２を生成し、履歴情報を明らかにすることができる。また、比較処理をサーバ２０ではなく各収集端末１０が担当するため、サーバ２０における比較処理の負荷を減らすことができる。
【００４５】
〔その他の実施形態〕
次に、本発明に係る機器監視装置、機器監視方法および機器監視プログラムのその他の実施形態について説明する。なお、以下のそれぞれの実施形態で開示される構成は、矛盾が生じない限り、他の実施形態で開示される構成と組み合わせて適用することも可能である。
【００４６】
上記の実施形態では、収集端末１０からサーバ２０に送信される機器状態データ３０に含まれる機器状態ビット列３１、オン変化データ３４、およびオフ変化データ３５が、ワード単位で表される構成を例として説明した。しかし、そのような構成に限定されることなく、本発明における機器状態データはビット単位で生成されてもよい。
【００４７】
上記の実施形態では、機器状態データ３０に含まれる機器状態ビット列３１、オン変化データ３４、およびオフ変化データ３５が、ワード長１６ビットのワード単位で表される構成を例として説明した。しかし、そのような構成に限定されることなく、本発明に係る機器状態データに含まれる各データは、必ずしもワード単位で表されなくてもよい。また、ワード単位で表される場合、１ワードは、３２ビット、６４ビットなど、当該分野で通常用いられる数のビットに対応する長さであってよい。
【００４８】
本発明に係る収集端末は、タブレット端末、ノートパソコンなどのコンピュータであってもよい。また、本発明に係るＰＬＣおよび収集端末を、送信機能を有するＰＬＣとして、一体に構成してもよい。
【００４９】
上記の実施形態では、収集端末１０からサーバ２０への機器状態データ３０の送信が、携帯電話回線網を経由して行われる構成を例として説明した。しかし、そのような構成に限定されることなく、本発明に係る収集端末とサーバとの通信経路は、無線、有線を問わず、公知の経路であってよい。
【００５０】
上記の実施形態では、収集端末１０が収集対象のＰＬＣ１５から情報を収集してこれをサーバ２０に送信し、サーバ２０が機器状態データ３０を受信してこれをサーバ側ビット列４１としてサーバ記憶部２２に記憶する構成を例として説明した。しかし、本発明に係る収集端末およびサーバは、上記の実施形態で説明した他の機能部を有しうる。たとえば、本発明に係るサーバは、蓄積された機器状態データに基づいて、監視対象の機器の状態を表すビットと当該機器の故障の有無を表すビットとの相関関係を学習する学習部を備えうる。この構成によれば、たとえば、監視対象の機器の状態を表すビットの変化の傾向（データの振れ幅など）に基づいて当該機器独自の管理値を設定し、当該管理値に基づいて当該機器の故障を予測できる。なお、かかる学習部は、収集端末に設けられてもよい。
【００５１】
上記の学習部は、たとえば、ワン−クラス・サポート・ベクター・マシン（One-Class Support Vector Machine）、ＬＯＦ（local outlier factor）法、ＩＦ(Isolation Forest)法、ＲＣ(Robust Covariance)法などのアルゴリズムを実装しうる。また、機器状態データの履歴に加えて、監視対象の機器に係るメンテナンス履歴に係る情報が蓄積される場合は、上記の学習部を、当該機器の累積稼働時間や累積停止回数などの正規化されたデータで特定される各機器の負荷率と、個別の負荷率（重み係数）で特定される各機器の識別情報とを入力する入力層と、単一または複数の中間層と、稼働実績データが均等になるように配置するための組合せを出力する出力層とを有するニューラルネットワークを構築し、過去の機器状態データを入力したときに得られるメンテナンスデータを出力とする教師信号で学習した学習部として構成しうる。
【００５２】
その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。したがって、本発明の趣旨を逸脱しない範囲で改変された別の実施形態も、当然、本発明の範囲に含まれる。
【産業上の利用可能性】
【００５３】
本発明は、たとえば下水処理施設や水道施設などのプラント施設における機器の機器状態を監視するために利用することができる。
【符号の説明】
【００５４】
１      ：機器監視装置
１０    ：収集端末
１１    ：入力部
１２    ：データレジスタ
１３    ：収集端末制御部
１４    ：送信部
１５    ：ＰＬＣ
２０    ：サーバ
２１    ：受信部
２２    ：サーバ記憶部
２３    ：サーバ制御部
３０    ：機器状態データ
３１    ：機器状態ビット列
３２    ：機器状態ビット列を構成するビット
３３    ：変化時刻データ
３４    ：オン変化データ
３５    ：オフ変化データ
４１    ：サーバ側ビット列
４２    ：変化前データ
Ｐ      ：プラント施設
Ｅ      ：機器
【図１】
2020137593.tif 000003
【図２】
2020137593.tif 000004
【図３】
2020137593.tif 000005
【図４】
2020137593.tif 000006
【図５】
2020137593.tif 000007
【国際調査報告】
2020137593.tif 000008
2020137593.tif 000009
2020137593.tif 000010
2020137593.tif 000011